(57)【要約】      （修正有）【課題】対象面上で物品を着脱可能に固定するための地球上及び宇宙環境用粘着シートを提供する。【解決手段】地球上及び宇宙環境用粘着シート１は、シート状の支持体１０と、支持体の第１主面１１に設けられた、第１粘着力を有する第１粘着剤層２１と、支持体の第２主面１２に設けられた、第１粘着力よりも小さい第２粘着力を有する第２粘着剤層２２とを備える。【選択図】図２
0003234161.tif 000002
【実用新案登録請求の範囲】
【請求項１】
シート状の支持体と、
前記支持体の第１主面に設けられた、第１粘着力を有する第１粘着剤層と、
前記支持体の第２主面に設けられた、前記第１粘着力よりも小さい第２粘着力を有する第２粘着剤層と、
を備える地球上及び宇宙環境用粘着シート。
【請求項２】
前記第１主面が、前記第１粘着剤層が設けられた第１粘着部と、前記第１粘着剤層が設けられない第１非粘着部とを含み、
前記第２主面が、前記第２粘着剤層が設けられた第２粘着部と、前記第２粘着剤層が設けられない第２非粘着部とを含む、
請求項１に記載の粘着シート。
【請求項３】
前記支持体が略矩形であり、
前記第１主面が、前記第１主面の長手方向における両縁部に設けられた二つの前記第１非粘着部を含み、
前記第２主面が、前記第２主面の長手方向における両縁部に設けられた二つの前記第２非粘着部を含む、
請求項２に記載の粘着シート。
【請求項４】
前記支持体が着色された、
請求項１〜３のいずれか一項に記載の粘着シート。
【請求項５】
前記第１粘着剤層を覆う第１剥離ライナーと、
前記第２粘着剤層を覆う第２剥離ライナーと、
を更に備える請求項１〜４のいずれか一項に記載の粘着シート。
【請求項６】
前記第１剥離ライナーが第１の色であり、
前記第２剥離ライナーが、前記第１の色とは異なる第２の色である、
請求項５に記載の粘着シート。
【請求項７】
前記第１剥離ライナーが、前記第１粘着剤層を対象面に貼るための説明を含み、
前記第２剥離ライナーが、前記対象面上に固定されることになる物品を前記第２粘着剤層上に付けるための説明を含む、
請求項５または６に記載の粘着シート。
【請求項８】
前記第１粘着剤層が、宇宙環境に存在する対象面に貼られ、
前記第２粘着剤層が、前記対象面上に固定されることになる物品に対して適用される、
請求項１〜７のいずれか一項に記載の粘着シート。
【考案の詳細な説明】
【技術分野】
【０００１】
本開示の一側面は、地球上及び宇宙環境用粘着シートに関する。
【背景技術】
【０００２】
特許文献１には、物品を対象物の表面に固定するために用いられる両面粘着テープが記載されている。
【先行技術文献】
【特許文献】
【０００３】
【特許文献１】特開２００６−２１９６１４号公報
【考案の概要】
【考案が解決しようとする課題】
【０００４】
対象面上で物品を着脱可能に固定するための地球上及び宇宙環境用粘着シートが望まれている。
【課題を解決するための手段】
【０００５】
本開示の一側面に係る地球上及び宇宙環境用粘着シートは、シート状の支持体と、支持体の第１主面に設けられた、第１粘着力を有する第１粘着剤層と、支持体の第２主面に設けられた、第１粘着力よりも小さい第２粘着力を有する第２粘着剤層とを備える。
【０００６】
このような側面においては、支持体の両面の間で粘着力が異なる。したがって、第１粘着剤層を対象面に向けた状態で粘着シートを該対象面上に貼ることで、物品を第２粘着剤層上に着脱可能に固定させることができる。第２粘着剤層の第２粘着力は第１粘着剤層の第１粘着力よりも小さいので、物品を第２粘着剤層から取り外しても粘着シートは対象面上に固定され続ける。したがって、同じまたは別の物品を第２粘着剤層上に再び固定させることも可能である。
【考案の効果】
【０００７】
本開示の一側面によれば、対象面上で物品を着脱可能に固定するための地球上及び宇宙環境用粘着シートを提供できる。
【図面の簡単な説明】
【０００８】
【図１】粘着シートの斜視図である。
【図２】粘着シートの側面を示す図である。
【図３】粘着シートの第１主面を示す図である。
【図４】粘着シートの第２主面を示す図である。
【図５】ユーザが第１剥離ライナーを剥がす場面の一例を示す図である。
【図６】粘着シートが使用されている場面の一例を示す図である。
【考案を実施するための形態】
【０００９】
以下、添付図面を参照しながら本開示での実施形態を詳細に説明する。図面の説明において同一または同等の要素には同一の符号を付し、重複する説明を省略する。
【００１０】
［粘着シートの構造］
本開示に係る粘着シートは、対象面上に物品を着脱可能に固定するための製品であり、いわゆる両面粘着シートである。対象面の例として壁面、天井、床、および動産の表面（例えば、テーブルの上面）が挙げられるが、これらに限定されない。物品の例として、工具、文房具、食器、および調理器具が挙げられるが、これらに限定されない。
【００１１】
図１〜図４を参照しながら粘着シートの構造の例を説明する。図１は実施形態に係る粘着シート１の斜視図である。図２は、粘着シート１の側面を示す図である。図３は粘着シート１の第１主面１１を示す図である。図４は粘着シート１の第２主面１２を示す図である。
【００１２】
図１に示すように、一例では、粘着シート１は角が丸められた矩形を呈し、これは略矩形の粘着シートの一例である。粘着シート１は円、楕円、ひし形、台形、三角形などの他の形状を有してもよい。
【００１３】
粘着シート１の寸法（長さおよび幅）は、粘着シート１が利用される場面を考慮されて設定される。例えば、その寸法は１４ｃｍ×１０ｃｍ、１０ｃｍ×７ｃｍ、または２０ｃｍ×１４ｃｍでもよい。粘着シート１の全体の厚みは、１００〜２５００μｍであってよく、５００〜１５００μｍでもよい。
【００１４】
一例では、粘着シート１は、支持体１０と、支持体１０の第１主面１１に設けられた第１粘着剤層２１と、支持体１０の第２主面１２に設けられた第２粘着剤層２２と、第１粘着剤層２１を覆う第１剥離ライナー３１と、第２粘着剤層２２を覆う第２剥離ライナー３２とを備える。第２主面１２は第１主面１１の反対側の面である。
【００１５】
支持体１０はシート状の部材であり、第１粘着剤層２１および第２粘着剤層２２を形成するための基台として機能する。図１の例では、支持体１０は角が丸められた矩形を呈し、これは略矩形の支持体の一例である。支持体１０の厚みは５〜１５００μｍの範囲で設定されてもよいし、１００〜１０００μｍの範囲で設定されてもよい。
【００１６】
一例では、支持体１０の材質は、不織布、織布、編布などの布帛（ｃｌｏｔｈ）であり、例えば不織布である。あるいは、支持体１０の材質は合成樹脂でもよく、例えば、ＰＥ、ＰＰ等のポリオレフィン、エチレン−酢酸ビニル共重合体、酢酸ビニル−塩化ビニル共重合体、ポリ塩化ビニル、ナイロン等のポリアミド、ＰＥＴ、ポリブチレンテレフタレート、ポリエチレンナフタレート等のポリエステル、セルロース誘導体、またはポリウレタンでもよい。あるいは、支持体１０の材質はアルミニウム等の金属であってもよい。あるいは、支持体１０は上記の材質から選択された複数の材質から成る積層体でもよい。一例では、支持体１０の材質として、シワになりにくく、丸まりにくい材料が選択される。
【００１７】
一例では、支持体１０は不透明である。不透明な支持体１０は着色によって（すなわち、着色された支持体１０によって）実現されてもよいし、不透明な材質によって実現されてもよい。
【００１８】
第１粘着剤層２１および第２粘着剤層２２はいずれも、有体物に貼り付くことが可能な粘着性を有する層である。一例では、第１粘着剤層２１および第２粘着剤層２２のそれぞれの厚みは３０〜１５００μｍ（単位面積当たりの質量が３０〜１５００ｇ／ｍ２）であってよく、１００μｍ〜１０００μｍ（単位面積当たりの質量が１００〜１０００ｇ／ｍ２）の範囲で設定されてもよい。厚みは第１粘着剤層２１と第２粘着剤層２２とで同じでもよいし異なってもよい。
【００１９】
第１粘着剤層２１または第２粘着剤層２２に含有される粘着基剤としては、ゴム系粘着基剤、アクリル系粘着基剤、シリコーン系粘着基剤、ウレタン系粘着基剤などが挙げられる。粘着基剤はそれらのうちの１種単独であっても２種以上の組合せであってもよい。必要に応じて、添加剤が第１粘着剤層２１または第２粘着剤層２２に配合されてもよい。添加剤の例として、粘着付与剤、可塑剤、安定化剤、保存剤、充填剤、溶解補助剤、安定剤、香料などが挙げられる。
【００２０】
ゴム系粘着基剤としては、例えば、天然ゴム、ポリイソブチレン、アルキルビニルエーテル（共）重合体、ポリイソプレン、ポリブタジエン、スチレン−ブタジエン共重合体、スチレン−イソプレン共重合体、スチレン−イソプレン−スチレンブロック共重合体（ＳＩＳ）等が挙げられる。ゴム系粘着基剤として、これらのうち１種が単独で用いられてもよく、２種以上が組み合わされてもよい。
【００２１】
アクリル系粘着基剤としては、例えば、（メタ）アクリル酸、（メタ）アクリル酸―２−エチルヘキシル、（メタ）アクリル酸メチル、（メタ）アクリル酸ブチル、（メタ）アクリル酸ヒドロキシエチル等の（メタ）アクリルモノマーの単独重合体および共重合体が挙げられる。アクリル系粘着基剤として、これらのうち１種が単独で用いられてもよく、２種以上が組み合わされてもよい。
【００２２】
シリコーン系粘着基剤としては、例えば、ポリジメチルシロキサン、ポリメチルビニルシロキサン、ポリメチルフェニルシロキサン等のシリコーンゴムを主成分とする粘着基剤が挙げられる。シリコーン系粘着基剤として、これらのうち１種が単独で用いられてもよく、２種以上が組み合わされてもよい。
【００２３】
ウレタン系粘着基剤としては、脂環族系ポリウレタン粘着基剤、芳香族系ポリウレタン粘着基剤が挙げられる。ウレタン系粘着基剤として、これらのうち１種が単独で用いられてもよく、２種以上が組み合わされてもよい。
【００２４】
粘着付与剤としては、例えば、石油系樹脂、テルペン系樹脂、ロジン系樹脂、フェノール系樹脂およびキシレン系樹脂等が挙げられる。石油系樹脂としては、例えば、脂環族系石油樹脂（脂環族飽和炭化水素樹脂等）、脂肪族系石油樹脂（脂肪族炭化水素樹脂等）、芳香族系石油樹脂等が挙げられる。石油系樹脂として、これらのうち１種が単独で用いられてもよく、２種以上が組み合わされてもよい。
【００２５】
可塑剤としては、例えば、パラフィンオイル（流動パラフィン等）、スクワラン、スクワレン、植物油類（オリーブ油、ツバキ油、ひまし油、トール油、ラッカセイ油、スペアミント油、ユーカリ油、ホホバ油、樟脳白油、ヒマワリ油、オレンジ油等）、油脂類（ジブチルフタレート、ジオクチルフタレート等）、および液状ゴム（液状ポリブテン、液状イソプレンゴム等）が挙げられる。
【００２６】
一例では、第１粘着剤層２１は第１粘着力を有し、第２粘着剤層２２はその第１粘着力よりも小さい第２粘着力を有する。粘着力とは、被着体から粘着剤層を引き剥がすために要する力をいう。第十八改正日本薬局方で規定されているプローブタック試験法によって第１粘着剤層２１および第２粘着剤層２２を試験した場合には、プローブを粘着面から垂直方向に引き剥がす際の最大荷重は、第１粘着剤層２１よりも第２粘着剤層２２の方が小さくなる。例えば、第１粘着剤層２１に対応する荷重が４〜６Ｎである一方で、第２粘着剤層２２に対応する荷重が約１．５〜２．５Ｎであってもよい。第十八改正日本薬局方で規定されているローリングボールタック試験法によって第１粘着剤層２１および第２粘着剤層２２を試験した場合には、傾斜板上で転がしたボールが停止するまでの距離は、第１粘着剤層２１よりも第２粘着剤層２２の方が長くなる。例えば、第１粘着剤層２１に対応する停止距離が１０〜１４ｍｍである一方で、第２粘着剤層２２に対応する停止距離が１５〜２０ｍｍであってもよい。これらの試験結果は、第２粘着力が第１粘着力よりも小さいことを意味する。
【００２７】
第１粘着剤層２１および第２粘着剤層２２のそれぞれの粘着基材は、第２粘着力が第１粘着力よりも小さくなるように選択される。例えば、第１粘着剤層２１を構成する成分または各成分の比率と、第２粘着剤層２２を構成する成分または各成分の比率とを適宜調整することで、第２粘着力を第１粘着力よりも小さくすることができる。一例として、ＳＩＳを粘着基材として用いる場合には、粘着付与樹脂である水素添加ロジングリセリンエステルと、可塑剤である流動パラフィンとについての量を調整することにより、粘着力を調整できる。
【００２８】
一例では、第１粘着剤層２１は支持体１０の第１主面１１の一部に設けられ、第２粘着剤層２２は支持体１０の第２主面１２の一部に設けられる。第１主面１１のうち第１粘着剤層２１が設けられる領域を第１粘着部１１ａという。また、第１主面１１のうち第１粘着剤層２１が設けられない領域を第１非粘着部１１ｂという。第２主面１２についても同様に、第２粘着剤層２２が設けられる領域を第２粘着部１２ａといい、第２粘着剤層２２が設けられない領域を第２非粘着部１２ｂという。一例では、第１非粘着部１１ｂは第１主面１１の長手方向における両縁部に形成され、第２非粘着部１２ｂは第２主面１２の長手方向における両縁部に形成される。この場合、第１主面は二つの第１非粘着部１１ｂを含み、第２主面は二つの第２非粘着部１２ｂを含む。一例では、第１非粘着部１１ｂおよび第２非粘着部１２ｂは互いに向かうように位置する。例えば、支持体１０の寸法が１４ｃｍ×１０ｃｍであるとして、第１粘着剤層２１および第２粘着剤層２２が中央の１２ｃｍ×１０ｃｍの領域に設けられ、第１非粘着部１１ｂおよび第２非粘着部１２ｂが、支持体１０の長手方向における両縁部において１ｃｍの幅を有するように設けられてもよい。
【００２９】
第１剥離ライナー３１および第２剥離ライナー３２はいずれもシート状の部材であり、対応する粘着剤層に剥離可能に貼付される。一例では、第１剥離ライナー３１および第２剥離ライナー３２のそれぞれの形状および寸法は支持体１０と同じに設計される。第１剥離ライナー３１および第２剥離ライナー３２の少なくとも一方は、支持体１０より大きくてもよい。別の例として、支持体１０が非粘着部を有する場合には、第１剥離ライナー３１および第２剥離ライナー３２の少なくとも一方は、粘着部のみを覆う大きさであってもよい。一例では、第１剥離ライナー３１および第２剥離ライナー３２のそれぞれの厚みは１０〜２００μｍであってよく、３０〜１５０μｍの範囲で設定されてもよい。
【００３０】
第１剥離ライナー３１および第２剥離ライナー３２のそれぞれの材質は、紙（離型紙）でもよいしアルミ箔でもよい。あるいは、その材質は合成樹脂でもよく、例えば、ポリエチレン、ポリプロピレン等のポリオレフィン、エチレン−酢酸ビニル共重合体、酢酸ビニル−塩化ビニル共重合体、ポリ塩化ビニル、ナイロン等のポリアミド、ポリエチレンテレフタレート等のポリエステル、セルロース誘導体、ポリウレタンなどでもよい。あるいは、第１剥離ライナー３１および第２剥離ライナー３２は上記の材質から選択された複数の材質から成る積層体でもよい。剥離を容易にするために、第１剥離ライナー３１および第２剥離ライナー３２のそれぞれの表面にシリコーンコートなどの離型処理が施されてもよい。
【００３１】
一例では、第１剥離ライナー３１および第２剥離ライナー３２はいずれも不透明である。不透明な剥離ライナーは着色によって実現されてもよいし、不透明な材質によって実現されてもよい。一例では、第１剥離ライナー３１は第１の色であり、第２剥離ライナー３２は該第１の色とは異なる第２の色である。このような色分けにより、ユーザは第１主面１１（第１粘着剤層２１）および第２主面１２（第２粘着剤層２２）を区別できる。
【００３２】
第１剥離ライナー３１および第２剥離ライナー３２の少なくとも一方の外面に、標章、商品説明、模様、図柄などの表現が印刷、ラベルなどによって表示されてもよい。剥離ライナーの外面とは、ユーザによって視認される面をいい、言い換えると、粘着剤層と向かい合う面の反対側に位置する面をいう。その表現は第１剥離ライナー３１と第２剥離ライナー３２とで異なり、これによりユーザは第１主面１１（第１粘着剤層２１）および第２主面１２（第２粘着剤層２２）を区別できる。例えば、第１剥離ライナー３１は、第１粘着剤層２１を対象面に貼るための説明を含んでもよい。第２剥離ライナー３２は、対象面上に固定されることになる物品を第２粘着剤層２２上に付けるための説明を含んでもよい。「対象面上に固定されることになる物品」とは、第２粘着剤層上に付けられることで対象面上に位置することになる物品を意味する。これらの説明はテキストおよび図の少なくとも一方によって表現されてよい。
【００３３】
第１剥離ライナー３１および第２剥離ライナー３２が透明である場合には、支持体１０の両面が相異なる色であってもよい。この場合、支持体１０の両面は、対応する粘着剤層を貼るための説明を含んでもよい。この構成によってもユーザは第１主面１１（第１粘着剤層２１）および第２主面１２（第２粘着剤層２２）を区別できる。
【００３４】
［粘着シートの使用方法］
図５および図６を参照しながら、粘着シート１の使用方法について説明する。図５はユーザが第１剥離ライナー３１を剥がす場面の一例を示す図である。図６は粘着シート１が使用されている場面の一例を示す図である。
【００３５】
粘着シート１の使用方法の一例は次の通りである。ユーザは、第１非粘着部１１ｂと対向する第１剥離ライナー３１の部分をつまんで第１剥離ライナー３１を剥がし、第１粘着剤層２１の全体を露出させる。次いで、ユーザは第１粘着剤層２１を介して所望の対象面８０に粘着シート１を貼る。続いて、ユーザは第２非粘着部１２ｂと対向する第２剥離ライナー３２の部分をつまんで第２剥離ライナー３２を剥がし、第２粘着剤層２２の全体を露出させる。第１非粘着部１１ｂおよび第２非粘着部１２ｂが存在することで、ユーザは第１剥離ライナー３１および第２剥離ライナー３２を簡単に剥がすことができる。そして、ユーザはその第２粘着剤層２２上に所望の物品９０を付ける。この一連の手順により、ユーザは粘着シート１を介して所望の物品９０を所望の対象面８０上に配置できる。
【００３６】
ユーザはその物品９０を粘着シート１から取り外すことができる。第１粘着剤層２１の第１粘着力は第２粘着剤層２２の第２粘着力よりも大きいので、物品９０が粘着シート１から取り外される際も、その粘着シート１は対象面８０から剥がれない（または剥がれにくい）。ユーザはその後もその粘着シート１の第２粘着剤層２２上に同じまたは別の物品９０を再び貼り付けることができる。このように、粘着シート１は複数回利用可能である。第１粘着剤層２１または第２粘着剤層２２の粘着力が弱くなった場合には、ユーザは粘着シート１を対象面８０から剥がし、必要に応じて新たな粘着シート１を使用する。一例では、対象面８０に貼った粘着シート１を剥がして、その粘着シート１を同じまたは別の対象面に貼り直すことも可能である。
【００３７】
ユーザは粘着シート１をはさみ、カッターなどの道具で切り分けて、それぞれの部分を個別に用いてもよい。はさみを用いる場合には、ユーザは第１非粘着部１１ｂおよび第２非粘着部１２ｂが位置する部分からはさみを入れることで、より簡単に粘着シート１を切ることができる。使用部分の大きさの調整を容易にするために、支持体１０、第１剥離ライナー３１，または第２剥離ライナー３２に線が描かれてもよい。
【００３８】
粘着シート１は地球上で利用可能であることはもちろん、地球上よりも重力が小さい宇宙環境でも利用可能である。そのような宇宙環境は、無重力空間、微小重力空間、または低重力空間であり得る。一例では、微小重力空間とは重力が１０−２Ｇ以下の空間をいう。無重力空間の例として宇宙空間が挙げられる。微小重力空間の例として、地球を周回する宇宙船の船内が挙げられる。低重力環境の例として、特定の惑星上、および特定の衛星上が挙げられる。
【００３９】
一例では、第１粘着剤層２１は、宇宙環境に存在する対象面に貼られる。第２粘着剤層２２は、その対象面上に固定されることになる物品に対して適用される（すなわち、その物品は第２粘着剤層２２上に貼り付けられる）。例えば、粘着シート１は国際宇宙ステーション（ＩＳＳ）で利用可能である。ＩＳＳ内は微小重力の空間であり（一般的には無重力空間であるといわれる）、ポケット、収納棚などの収納場所に物品を格納してもその物品が意図せずそこから飛び出てしまう。収納場所から出てしまった物品の探索に時間と労力が掛かったり、物品を紛失してしまったりすることもある。このような宇宙環境において粘着シート１を用いることで、所望の物品（例えば、ドライバ、注射器、サンプルチューブ、スプーンなど）を特定の位置に固定できる。その結果、ＩＳＳ内での物品の管理が容易になる。あるいは、粘着シート１は地球よりも重力が小さい衛星（例えば月）または惑星（例えば火星）でも利用可能である。
【００４０】
粘着シート１は複数回利用可能であるので、環境に優しい物品であるといえる。
【００４１】
第１剥離ライナー３１および第２剥離ライナー３２はいずれも、再び粘着剤層に貼ることができる。したがって、微細なゴミなどの浮遊物が粘着剤層に付着して粘着力が弱くなることを抑制したり、宇宙環境での粘着剤層の物性変化を抑制したりすることができる。
【００４２】
［効果］
以上説明したように、本開示の一側面に係る地球上及び宇宙環境用粘着シートは、シート状の支持体と、支持体の第１主面に設けられた、第１粘着力を有する第１粘着剤層と、支持体の第２主面に設けられた、第１粘着力よりも小さい第２粘着力を有する第２粘着剤層とを備える。
【００４３】
このような側面においては、支持体の両面の間で粘着力が異なる。したがって、第１粘着剤層を対象面に向けた状態で粘着シートを該対象面上に貼ることで、物品を第２粘着剤層上に着脱可能に固定させることができる。第２粘着剤層の第２粘着力は第１粘着剤層の第１粘着力よりも小さいので、物品を第２粘着剤層から取り外しても粘着シートは対象面上に固定され続ける。したがって、同じまたは別の物品を第２粘着剤層上に再び固定させることも可能である。
【００４４】
他の側面に係る粘着シートでは、第１主面が、第１粘着剤層が設けられた第１粘着部と、第１粘着剤層が設けられない第１非粘着部とを含み、第２主面が、第２粘着剤層が設けられた第２粘着部と、第２粘着剤層が設けられない第２非粘着部とを含んでもよい。これらの非粘着部を設けることで、粘着部に触れることなく粘着シートを容易に取り扱うことが可能になる。
【００４５】
他の側面に係る粘着シートでは、支持体が略矩形であり、第１主面が、第１主面の長手方向における両縁部に設けられた二つの第１非粘着部を含み、第２主面が、第２主面の長手方向における両縁部に設けられた二つの第２非粘着部を含んでもよい。それぞれの非粘着部の位置をこのように設定することで、粘着シートをより容易に取り扱うことができる。
【００４６】
他の側面に係る粘着シートでは、支持体が着色されてもよい。支持体が色を有することで、対象面に貼られた支持体を容易に視認できる。
【００４７】
他の側面に係る粘着シートは、第１粘着剤層を覆う第１剥離ライナーと、第２粘着剤層を覆う第２剥離ライナーとを更に備えてもよい。これらの剥離ライナーによって双方の粘着剤層を保護できる。
【００４８】
他の側面に係る粘着シートでは、第１剥離ライナーが第１の色であり、第２剥離ライナーが、第１の色とは異なる第２の色であってもよい。二つの剥離ライナーの色を違わせることで、２種類の粘着剤層のそれぞれの位置をユーザにわかりやすく示すことができる。
【００４９】
他の側面に係る粘着シートでは、第１剥離ライナーが、第１粘着剤層を対象面に貼るための説明を含み、第２剥離ライナーが、対象面上に固定されることになる物品を第２粘着剤層上に付けるための説明を含んでもよい。これらの説明により、それぞれの粘着剤層を対象面および物品のどちらに向けるべきかをユーザにわかりやすく示すことができる。
【００５０】
他の側面に係る粘着シートは、第１粘着剤層が、宇宙環境に存在する対象面に貼られ、第２粘着剤層が、対象面上に固定されることになる物品に対して適用されてもよい。すなわち、粘着シートは宇宙環境においても利用できる。
【００５１】
［変形例］
以上、本開示の実施形態を詳細に説明した。しかし、本開示は上記の実施形態に限定されるものではない。本開示の要旨を逸脱しない範囲で様々な変形が可能である。
【００５２】
本開示に係る粘着シートにおいて、第１剥離ライナーおよび第２剥離ライナーの少なくとも一方が省略されてもよい。第１剥離ライナーおよび第２剥離ライナーの一方を省略した場合にも、複数の粘着シート１を重ねた状態で包装袋に収容できる。一方の剥離ライナーが省略されるので、資源の節約になる。
【００５３】
第１剥離ライナー３１および第２剥離ライナー３２の少なくとも一方には、第１の縁部から第２の縁部に延びる少なくとも一つの切れ目が形成されてもよい。切れ目は、直線状、波線状などの様々な態様で形成されてよい。この切れ目により、粘着剤層同士が貼り付いたり、粘着剤層が指に貼り付いたりすることなく、剥離ライナーを粘着剤層から容易に剥がすことができる。また、粘着シートを切れ目に沿って折り曲げることもでき、これにより粘着シートを小さい寸法で保管できる。第２剥離ライナー３２に切れ目を形成した場合には、第２剥離ライナー３２の一部のみを剥がして粘着シート１を使用し、露出した第２粘着部１２ａの粘着力の低下を受けて第２剥離ライナー３２の残りを剥がして、新たに露出した第２粘着部１２ａを利用できる。このような方法により、１枚の粘着シート１を長期間利用し続けることができる。
【００５４】
粘着シートは、任意の手法で包装袋内に収容された態様で提供されてもよい。粘着シートは個々に包装されてもよいし、複数の粘着シートが一つの包装袋に収容されてもよい。剥離ライナーが包装袋の少なくとも一部として機能するように粘着シートが構成されてもよい。粘着シートは折り畳まれた態様で収容袋に収納されてもよい。例えば、粘着シートは、一方の主面の中央に取り出し口が形成された袋本体内に、折り畳まれた状態で収容されてもよい。粘着シートを折り畳むことによって包装袋を小型化でき、これは資源の節約につながり得る。
【００５５】
包装袋の少なくとも一つの縁部に、開封を容易にするためのノッチ（切れ目）が形成されてもよい。包装袋の開封口には、開閉可能なジップ（線ファスナー）が設けられてもよい。あるいは、開封口を覆う開閉可能な粘着ラベルが設けられてもよい。
【００５６】
包装袋の材質は、例えば、ポリエチレンテレフタラート（ＰＥＴ）、ポリエチレン（ＰＥ）、ポリプロピレン（ＰＰ）、ポリアクリロニトリル（ＰＡＮ）、セロハン、紙、環状ポリオレフィン（ＣＯＣ）、シクロオレフィンポリマー、またはエチレン−ビニルアルコール共重合体（ＥＶＯＨ）樹脂でもよいし、これらの積層体であってもよい。包装袋は、アルミニウム箔などから成る酸素遮断層を有してもよい。
【００５７】
第１粘着部および第２粘着部の少なくとも一方は、ストライプ状などのように離散的に配されてもよい。
【００５８】
第１非粘着部および第２非粘着部は、対応する主面の周縁の全部もしくは一部に設けられてもよい。
【実施例】
【００５９】
以下では、本開示に係る粘着シートの実施例について説明する。しかし、本開示はその実施例に限定されるものではない。
【００６０】
実施例として、１０ｃｍ×１４ｃｍの矩形の粘着シートを作製した。支持体としてＰＥＴ製の不織布を用いた。ＳＩＳ、水素添加ロジングリセリンエステル、および流動パラフィンを１：２：１の比率で配合して第１粘着剤層を形成し、同じ材料を１：０．６：２の比率で配合して第２粘着剤層を形成した。これら二つの粘着剤層の厚みはそれぞれ２００μｍとした。プローブタック試験法により測定された第１粘着力および第２粘着力はそれぞれ、４．５Ｎ、２Ｎであり、したがって、第１粘着力と第２粘着力との比は２．２５：１であった。
【００６１】
比較例として、１０ｃｍ×１４ｃｍの矩形の粘着シートを作製した。支持体としてＰＥＴ製の不織布を用いた。第１粘着剤層および第２粘着剤層の双方を、ＳＩＳ、水素添加ロジングリセリンエステル、および流動パラフィンを１：２：１の比率で配合することで形成した。これら二つの粘着剤層の厚みはそれぞれ２００μｍとした。プローブタック試験法により測定された第１粘着力および第２粘着力はいずれも４．５Ｎであり、したがって、第１粘着力と第２粘着力との比は１：１であった。このように、比較例が実施例と異なる点は、第２粘着剤層および第２粘着力のみであった。
【００６２】
実施例および比較例のそれぞれについて、粘着シートを次のように評価した。まず、第１粘着剤層をステンレス製のキャビネットに貼り付け、次いで、第２粘着剤層に円柱状のボールペンを貼り付けた。この状態で３０分待った後に、粘着シートおよびキャビネットを押さえることなくボールペンのみを持って、そのボールペンを第２粘着剤層から取り外した。この取り外しの際の、キャビネットへの第１粘着剤層の付着状態を目視で確認した。実施例では、第１粘着剤層がキャビネットから浮き上がらず固定され続けた。一方、比較例では、第１粘着剤層がキャビネットから浮き上がるか、もしくは剥がれた。
【符号の説明】
【００６３】
１…粘着シート、１０…支持体、１１…第１主面、１１ａ…第１粘着部、１１ｂ…第１非粘着部、１２…第２主面、１２ａ…第２粘着部、１２ｂ…第２非粘着部、２１…第１粘着剤層、２２…第２粘着剤層、３１…第１剥離ライナー、３２…第２剥離ライナー、８０…対象面、９０…物品。
【図１】
0003234161.tif 000003
【図２】
0003234161.tif 000004
【図３】
0003234161.tif 000005
【図４】
0003234161.tif 000006
【図５】
0003234161.tif 000007
【図６】
0003234161.tif 000008